(57)【要約】【課題】より安全性及び利便性の高い小荷物用昇降機及び小荷物用昇降機のかご扉装置を提供する。【解決手段】小荷物用昇降機のかご５０は、かご５０の荷物出し入れ口を開閉可能に覆う上扉５２及び下扉５４と、上扉５２及び下扉５４を連動して開閉させる扉開閉機構５６と、を含むかご扉装置を備える。上扉５２の上端の辺は荷物出し入れ口の上端の辺に取り付けられ、荷物出し入れ口の上端の辺を回転中心軸としてかご５０の外側方向に回転することで開く。下扉５４の下端の辺は荷物出し入れ口の下端の辺に取り付けられ、荷物出し入れ口の下端の辺を回転中心軸としてかご５０の外側方向に回転することで開く。【選択図】図１
2008044725.tif 000002
【特許請求の範囲】
【請求項１】
かごの荷物出し入れ口を開閉可能に覆う扉であって、この扉の下端の辺が前記荷物出し入れ口の下端の辺に取り付けられ、前記荷物出し入れ口の下端の辺を回転中心軸として前記かごの外側方向に回転することで開く下扉を備えることを特徴とする小荷物用昇降機のかご扉装置。
【請求項２】
請求項１に記載のかご扉装置において、さらに、
前記荷物出し入れ口を開閉可能に覆う扉であって、この扉の上端の辺が前記荷物出し入れ口の上端の辺に取り付けられ、前記荷物出し入れ口の上端の辺を回転中心軸として前記かごの外側方向に回転することで開く上扉と、
前記上扉と前記下扉とを連動して開閉させる扉開閉機構と、
を備えることを特徴とする小荷物用昇降機のかご扉装置。
【請求項３】
請求項２に記載のかご扉装置において、
前記扉開閉機構は、
前記上扉に接続され、前記上扉の回転に従って回転する上部ウォームホイールと、
前記上部ウォームホイールと噛み合う上部ウォームギヤと、
前記下扉に接続され、前記下扉の回転に従って回転する下部ウォームホイールと、
前記下部ウォームホイールと噛み合う下部ウォームギヤと、
前記上部ウォームギヤと前記下部ウォームギヤとを両端に固定したウォーム軸と、
を備えることを特徴とする小荷物用昇降機のかご扉装置。
【請求項４】
昇降路内を昇降するよう設けられ、荷物出し入れ口を有するかごと、
請求項１から３のいずれか１項に記載のかご扉装置と、
を備えることを特徴とする小荷物用昇降機。
【発明の詳細な説明】
【技術分野】
【０００１】
本発明は、小荷物用昇降機に関し、特に、小荷物用昇降機のかご扉装置に関する。
【背景技術】
【０００２】
小荷物用昇降機のかごには、かご内の荷物がかごから出て昇降路の内壁などに接触したり、昇降路の内壁とかごとの間に挟まったりすることを防ぐために、かごの荷物出し入れ口に扉が設けられることが多い。
【０００３】
図４に、小荷物用昇降機のかごに設けられる従来のかご扉の例を示す。図４では、小荷物用昇降機のかご１の荷物出し入れ口３に、ガイドレール４に沿って上下方向にスライドして開閉するかご扉２が取り付けられる。図４に示すかご扉２を手で上に押し上げると、かご扉２は、ロープ６及び滑車７を介して重り８によって上方向にスライドし、開いた状態になる。
【０００４】
また、特許文献１には、上下方向にスライドしながら伸縮して開閉する折りたたみ式のかご扉について記載されている。
【０００５】
【特許文献１】特開平７−２１５６２８号公報
【発明の開示】
【発明が解決しようとする課題】
【０００６】
図４に示すかごを備える小荷物用昇降機において、荷物を出し入れする際の右側面断面図を図５に示す。図５を参照すると、従来の上下スライド式のかご扉では、かご扉を開いてかご内の荷物を出し入れする際、かご１の底面の荷物出し入れ口３側の端１０と小荷物用昇降機が設置される建物の荷物出し入れ口の昇降路２０側の端３０との間に間隙４０が生じる。したがって、かごから荷物を出し入れする際、この間隙４０に書類などの荷物を落としてしまうことがある。
【０００７】
本発明の目的は、より安全性及び利便性の高い小荷物用昇降機及び小荷物用昇降機のかご扉装置を提供することである。
【課題を解決するための手段】
【０００８】
本発明に係る小荷物用昇降機のかご扉装置は、かごの荷物出し入れ口を開閉可能に覆う扉であって、この扉の下端の辺が前記荷物出し入れ口の下端の辺に取り付けられ、前記荷物出し入れ口の下端の辺を回転中心軸として前記かごの外側方向に回転することで開く下扉を備えることを特徴とする。
【０００９】
本発明に係る小荷物用昇降機のかご扉装置は、さらに、前記荷物出し入れ口を開閉可能に覆う扉であって、この扉の上端の辺が前記荷物出し入れ口の上端の辺に取り付けられ、前記荷物出し入れ口の上端の辺を回転中心軸として前記かごの外側方向に回転することで開く上扉と、前記上扉と前記下扉とを連動して開閉させる扉開閉機構と、を備えることが好ましい。
【００１０】
また、本発明に係るかご扉装置において、前記扉開閉機構は、前記上扉に接続され、前記上扉の回転に従って回転する上部ウォームホイールと、前記上部ウォームホイールと噛み合う上部ウォームギヤと、前記下扉に接続され、前記下扉の回転に従って回転する下部ウォームホイールと、前記下部ウォームホイールと噛み合う下部ウォームギヤと、前記上部ウォームギヤと前記下部ウォームギヤとを両端に固定したウォーム軸と、を備えることが好ましい。
【００１１】
本発明に係るかご扉装置は、昇降路内を昇降するよう設けられ、荷物出し入れ口を有するかごを備える小荷物用昇降機に適用できる。
【発明の効果】
【００１２】
本発明によると、より安全性及び利便性の高い小荷物用昇降機及び小荷物用昇降機のかご扉装置を提供することができる。
【発明を実施するための最良の形態】
【００１３】
以下に、本発明の実施の形態を、図面を用いて詳細に説明する。
【００１４】
図１は、本発明の１つの実施形態のかご扉装置を備える小荷物用昇降機のかごを示す斜視図である。かご５０は、その荷物出し入れ口を開閉可能に覆う上扉５２及び下扉５４と、扉開閉機構５６と、を備える。上扉５２の上端の辺は、かご５０の荷物出し入れ口の上端の辺に蝶番６０を用いて取り付けられる。上扉５２の上端の辺、すなわち、かご５０の荷物出し入れ口の上端の辺を回転中心軸として、上扉５２は、矢印ａ及び矢印ｂの両方向に回転可能である。上扉５２のかご５０に対して外側の面の下端の辺には、把手６４が設けられる。下扉５４の下端の辺は、かご５０の荷物出し入れ口の下端の辺に蝶番６２を用いて取り付けられる。下扉５４の下端の辺、すなわち、かご５０の荷物出し入れ口の下端の辺を回転中心軸として、下扉５４は、矢印ｃ及び矢印ｄの両方向に回転可能である。下扉５４のかご５０側の面の左右両端には、止め板６６が設けられる。扉開閉機構５６は、上扉５２及び下扉５４を連動して開閉させる機構である。扉開閉機構５６は、保護カバー５８で覆われる。図１では、わかりやすくするために保護カバー５８内部の扉開閉機構５６を実線で描いている。
【００１５】
図２は、扉開閉機構５６の右側面図である。図２は、保護カバー５８及びかご５０を省略して示す。扉開閉機構５６は、上扉用ウォームホイール６８及び下扉用ウォームホイール７０と、上扉用ウォームギヤ７２及び下扉用ウォームギヤ７４と、ウォーム軸７６と、軸受け７８及び８０と、を備える。上扉用ウォームホイール６８及び下扉用ウォームホイール７０の回転中心軸は、それぞれ、上扉５２及び下扉５４の回転中心軸と接続される。上扉用ウォームギヤ７２及び下扉用ウォームギヤ７４は、それぞれ、上扉用ウォームホイール６８及び下扉用ウォームホイール７０に噛み合う。上扉用ウォームギヤ７２及び下扉用ウォームギヤ７４は、互いのねじ切りの方向が逆になるように、ウォーム軸７６の両端に固定される。また、上扉用ウォームギヤ７２及び下扉用ウォームギヤ７４は、それぞれ、軸受け７８及び８０によって支持される。
【００１６】
図２を参照し、扉開閉機構５６による、上扉５２及び下扉５４の連動した開閉動作について説明する。把手６４を持って上扉５２を矢印ａの方向に回転させると、上扉５２は開く。この上扉５２の回転に従って上扉用ウォームホイール６８は右方向に回転する。上扉用ウォームホイール６８が右方向に回転すると、上扉用ウォームホイール６８と噛み合う上扉用ウォームギヤ７２が回転する。この回転運動はウォーム軸７６を通じて下扉用ウォームギヤ７４に伝達される。下扉用ウォームギヤ７４には、上扉用ウォームギヤ７２と逆の方向にねじが切られているため、下扉用ウォームギヤ７４に噛み合う下扉用ウォームホイール７０は、上扉用ウォームホイール６８と逆方向すなわち左方向に回転する。この下扉用ウォームホイール７０の左方向の回転に従って、下扉５４は矢印ｃ方向に回転して開く。
【００１７】
上扉５２及び下扉５４を閉じる際には、上扉５２を矢印ｂの方向、すなわちかご５０に向かう方向に回転させる。すると、上扉用ウォームホイール６８は左方向に回転し、この回転運動が上扉用ウォームギヤ７２及びウォーム軸７６を介して下扉用ウォームギヤ７４に伝達される。これによって、下扉用ウォームギヤ７４に噛み合う下扉用ウォームホイール７０は、上扉用ウォームホイール６８の回転方向とは逆の右方向に回転し、下扉５４は矢印ｄの方向に回転して閉じられる。以上のように、扉開閉機構５６の作用によって、上扉５２及び下扉５４は連動して開閉する。
【００１８】
図３は、図１及び図２を参照して説明した実施形態の小荷物用昇降機において、この小荷物用昇降機が設置される建物の荷物出し入れ口を示す図である。図３では、テーブル形の小荷物用昇降機の例を示す。通常、テーブル形の小荷物用昇降機が設置された建物において、荷物出し入れ口は人間の腰の高さ付近に設けられ、荷物出し入れ口の下側にテーブル８２が設けられる。操作パネル８４を用いて小荷物用昇降機の呼び出しなどが行われる。図３は、建物の荷物出し入れ口に対応してかごが停止した状態を示す。図３では、建物の荷物出し入れ口に設けられた扉は開いていて、かごの荷物出し入れ口に設けられた上扉５２及び下扉５４は閉じている。このとき、かごの底面の荷物出し入れ口側の端と建物の荷物出し入れ口の昇降路側の端との間に間隙４０が生じる。図３の二点鎖線で示すように、上扉５２及び下扉５４を開くと、間隙４０は下扉５４によって覆われる。また、止め板６６は、荷物出し入れ時に、荷物が横に落下するのを防ぐ。
【図面の簡単な説明】
【００１９】
【図１】本発明の１つの実施形態のかご扉装置を備える小荷物用昇降機のかごを示す斜視図である。
【図２】図１の実施形態のかご扉装置が有する扉開閉機構の側面図である。
【図３】図１に示すかごを備える小荷物用昇降機が設置された建物の荷物出し入れ口の一例を示す図である。
【図４】小荷物用昇降機のかごに設けられる従来のかご扉装置の一例を示す図である。
【図５】図４のかごを備える小荷物用昇降機において、荷物を出し入れする際の右側面断面図である。
【符号の説明】
【００２０】
１，５０  かご、２  かご扉、３  荷物出し入れ口、４  ガイドレール、６  ロープ、７  滑車、２０  昇降路、５２  上扉、５４  下扉、５６  扉開閉機構、５８  保護カバー、６０，６２  蝶番、６４  把手、６６  止め板、６８  上扉用ウォームホイール、７０  下扉用ウォームホイール、７２  上扉用ウォームギヤ、７４  下扉用ウォームギヤ、７６  ウォーム軸、７８，８０  軸受け、８２  テーブル、８４  操作パネル。
【図１】
2008044725.tif 000003
【図２】
2008044725.tif 000004
【図３】
2008044725.tif 000005
【図４】
2008044725.tif 000006
【図５】
2008044725.tif 000007